(57)【要約】      （修正有）【課題】片方の手に杖、荷物など持っていても、傘の重みを受け止め軽減し、雨の向きにも片手で対応でき、安定した状態で傘がさせるようにしたショルダーバッグを提供すること。【解決手段】収納袋９の左右から上方に延出した肩かけベルトからなるショルダーバックに於いて、このショルダーバックを着用した着用者が持つ傘の把手部を傘をさした状態で保持する把手保持部を左右ベルト間に取り付け、その把手保持部の両側部は、ファスナー５等でベルトに着脱自在に取り付けると共に、把手保持部の下端部はベルトに付着され、この付着部から収納袋９の背面に折り畳まれるようにし、把手保持部は、上部に開口部を有する袋体３に構成し、開口部をストッパー付ファスナー１０で開閉自在にした。【選択図】図３
2008114017.tif 000002
【特許請求の範囲】
【請求項１】
収納袋とこの収納袋の左右から上方に延出した肩かけベルトからなるショルダーバックに於いて、このショルダーバックを着用した着用者が持つ傘の把手を傘をさした状態で保持するための、把手保持部を前記左右ベルト間に取り付けた事を特徴とする、ショルダーバック。
【請求項２】
前記把手保持部の両側部は、接合部材で前記ベルトに着脱自在に取り付けると共に、把手保持部の下端部は、前記ベルトに付着され、この付着部から収納袋の背面に折畳まれるようにした事を特徴とする、ショルダーバック。
【請求項３】
前記把手保持部は、上部に開口部を有する袋体に構成し、前記開口部をストッパー付スライドファスナーで開閉自在にした事を特徴とする請求項１又は２に記載の、ショルダーバック。
【発明の詳細な説明】
【技術分野】
【０００１】  本発明は、持っている傘の把手を保持する保持袋を備えたショルダーバックである。傘把手保持部をファスナー、ボタン、テープ、紐などの接合材で、肩かけベルトと継ぎ、必要に応じて接合部材を付着する事により、傘把手部が把手保持袋に入るようにしたものである。把手保持袋は、接合部材を放つ事で、収納袋の背面に位置する把手保持袋の開口部には、２個のスットッパー付ファスナーで傘の柄、把手部を狭持し、横すべりを防ぐものである。
【背景技術】
【０００２】  祭事用では傘の柄が長いため、腰に紐で受け止められている、又、自転車のハンドルに傘を取り付けるものはあるが、ショルダーバックに傘の柄、把手を保持させるものはなかった。
【発明の開示】
【発明が解決しようとする課題】
【０００３】  従来から、傘の重みを軽減したり傘をもつ手の補助的なものはなく、雨や風の向きに関係なく傘の柄を肩で支え、傘の重みを肩で受け止めている。【０００４】  本発明は、片方の手に杖、荷物など持っていても、ショルダーバックに付けた把手保持袋に傘の把手をいれ、傘の重みを受け止め軽減し、雨の向きにも片手で対応でき、安定した状態で傘がさせるようにしたものであり、把手保持袋の高さは、着用者により肩かけベルトの調節で可能となる。
【課題を解決するための手段】
【０００５】  本発明は、収納袋とこの収納袋の左右から上方に延出した肩かけベルトからなるショルダーバックに於いて、このショルダーバックを着用した着用者が持つ傘の把手部を傘をさした状態で保持する把手保持部を前記左右ベルト間に取り付け、その把手保持部の両側部は、ファスナー等で前記ベルトに着脱自在に取り付けると共に、把手保持部の下端部は前記ベルトに付着され、この付着部から収納袋の背面に折り畳まれるようにし、前記把手保持部は、上部に開口部を有する袋体に構成し、前記開口部をストッパー付ファスナーで開閉自在にした把手保持部付ショルダーバック。
【発明の効果】
【０００６】  左右両側の肩かけベルトにファスナー等で把手保持部の両側を接続させることにより、把手保持部内の傘の柄、把手は身体にひきつけられて、立ち上がり状態を安定することが出来る。【０００７】  ストッパー付スライドファスナーは、所定箇所で空隙部が限定されるので、立ち上がり状態が安定する。面ファスナーを用いた場合も同様に面ファスナーどうしが相互に接合して、所定の空隙部が形成されるので、傘の柄、把手を安定させる。【０００８】  把手保持部の開口部に傘の把手を挿入して、スライドファスナーを左右から閉じると、２個のストッパー付つまみにより、スライドファスナーが余分に開くことなく傘の把手を両側から保持することができる。【０００９】  収納袋の収納物の重量と、その上に位置した袋におさまる傘の重みとの釣り合いを保つことにより、傘の立ち上がりが安定する。
【発明を実施するための最良の形態】
【００１０】  この発明に於いて、袋とは傘把手保持部であり、ショルダーバックの形状以内とし、傘把手部が入る大きさとする。【００１１】  以下本発明の実施形態を図１〜図１３によって説明する。【００１２】  ショルダーバックの片面の倍の大きさに縫代を足した袋用素材を用意し、それぞれの角にＡ，Ｂ，Ｃ，Ｄと縦中央にＡ′、Ｂ′と符号をつけた平面図である。【００１３】  図２は、Ａ′〜Ｂ′を折り線としてＡＢ，ＣＤと重ね、二つ折りにし、両側を縫い、縫代を中にして袋状にした平面図である。【００１４】  図３は図２の開口部４に２個のストッパー付スライドファスナーを付け、開閉自在にし、ショルダーバックの調節可能な肩かけベルトに袋の両側を各々ファスナー等で接続して、袋３がショルダーバックの上部に位置した斜視図である。本発明で云うファスナーは、スライドファスナー、面ファスナーを含む。面ファスナーの場合は、所要間隔をあけて接合させる。【００１５】  図４は袋３の不使用時の折、図３の肩かけベルトと袋のファスナー等を着した図からファスナー等を放ち、袋がショルダーバックの背面に位置した斜視図である。【００１６】  図５は肩かけベルトと袋の接合をボタンを用いた斜視図である。【００１７】  図６は肩かけベルトと袋の接合を紐を用いた斜視図である。【００１８】  図７は肩かけベルトと袋の接合を面ファスナーを用いた斜視図である。【００１９】  図８は肩かけベルトと袋の接合を凹凸小金具を用いた斜視図である。【００２０】  図９は傘把手保持袋の開口部に面ファスナーを付けた斜視図である。【００２１】  図１０は傘把手保持袋の開口部に面ファスナーを間隔をあけて付けた斜視図である。【００２２】  図１１は傘把手保持袋の開口部にボタンをつけて空隠部をもうけた斜視図である。【００２３】  図１２は傘把手保持袋の開口部に紐をつけて空隠部をもうけた斜視図である。【００２４】  図１３は傘をさし傘把手保持袋に、傘の柄、把手部を入れた斜視図である。
【図面の簡単な説明】
【００２５】
【図１】  袋用素材の四つの角にＡ、Ｂ、Ｃ、Ｄと符号をつけ、ＡＣ〜ＢＤの中央にＡ′、Ｂ′と符号を付けた袋の展開図。
【図２】  Ａ′〜Ｂ′を折り、ＡＢ、ＣＤと重ね、ＡＢ〜Ａ′、ＣＤ〜Ｂ′間をそれぞれ縫い袋状にした平面図。
【図３】  開口部にストッパー付ファスナーを付けた袋と、ショルダーバックの調節可能な肩かけベルトと接合した斜視図。
【図４】  肩かけベルトからストッパー付ファスナー、ボタン、紐、面ファスナー、凹凸小金具等を放ち、袋がショルダーバックの背面に位置した斜視図。
【図５】  袋とショルダーバックの調節可能な肩かけベルトとの接合をボタンとボタン穴によって付着した斜視図。
【図６】  袋とショルダーバックの調節可能な肩かけベルトとの接合を肩かけベルトにつけた紐と袋に付けた紐を結ぶことで付着した斜視図。
【図７】  袋とショルダーバックの調節可能な肩かけベルトとの接合を面ファスナーにより付着した斜視図。
【図８】  袋とショルダーバックの調節可能な肩かけベルトとの接合を凹凸小金具で付着した斜視図。
【図９】  傘の柄、把手部を固定する空隙部を限定するための面ファスナーを開口部全面に付けた斜視図。
【図１０】  傘の柄、把手部を固定する空隙部を限定するための面ファスナーを開口部に部分的に付けた斜視図。
【図１１】  傘の柄、把手部を固定する空隙部をボタンとボタン穴により限定した斜視図。
【図１２】  傘の柄、把手部を固定する空隙部を開口部に付けた紐を結ぶことにより限定した斜視図。
【図１３】  傘をさし、ショルダーバックに付けた傘の柄、把手保持袋に、傘の柄、把手を入れた斜視図。
【符号の説明】
【００２６】    １    袋用の素材
２    袋の底部
３    袋体
４    開口部
５    ストッパー付ファスナー等接合素材
６    肩かけベルトのつけ根
７    肩かけベルト
８    ストッパー付金具
９    収納袋
１０  袋開口部ストッパー付ファスナー
１１  肩かけベルト長さ調節部
１２  面ファスナー
１３  凹凸小金具
１４  ボタン
１５  ボタン穴
１６  紐
１７  開口部に付けた面ファスナー
１８  開口部に部分的に付けた面ファスナー
１９  傘の柄、把手部を固定する空隙部
２０  開口部のボタン
２１  開口部の紐
２２  袋に挿入した傘の柄と把手部
【図１】
2008114017.tif 000003
【図２】
2008114017.tif 000004
【図３】
2008114017.tif 000005
【図４】
2008114017.tif 000006
【図５】
2008114017.tif 000007
【図６】
2008114017.tif 000008
【図７】
2008114017.tif 000009
【図８】
2008114017.tif 000010
【図９】
2008114017.tif 000011
【図１０】
2008114017.tif 000012
【図１１】
2008114017.tif 000013
【図１２】
2008114017.tif 000014
【図１３】
2008114017.tif 000015
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
収納袋とこの収納袋の左右から上方に延出した肩かけベルトからなるショルダーバックに於いて、
このショルダーバックを着用した着用者が持つ傘の把手を傘をさした状態で保持するための把手保持部を、前記収納袋とほぼ同じ大きさの扁平な袋体によって構成し、
前記袋体にストッパー付きスライドファスナーによって開閉自在な開口部を設け、
前記袋体を、その両側部に於いて、接合部材で前記左右ベルト間に着脱自在に取り付けると共に、其の両下端部を前記左右ベルトに付着して、この下端付着部から前記収納袋の背面に折畳まれるようになし、
前記袋体をその下端付着部に於いて前記収納袋の背面から立ち上がらせてバック着用者の腹部前面に沿わせて着用し、前記袋体の上向き開口部を開いて傘の把手を袋体内に差し込み、この把手を、前記スライドファスナーを部分的に閉じて袋体内に保持するようにした事を特徴とするショルダーバック。
【手続補正２】
【補正対象書類名】明細書
【補正対象項目名】０００１
【補正方法】変更
【補正の内容】
【０００１】  本発明は、持っている傘の把手を保持する袋体の把手保持部を備えたショルダーバックである。把手保持部をファスナー、ボタン、テープ、紐などの接合部材で肩かけベルトと継ぎ、必要に応じて、傘の把手部が把手保持部に入るようにしたものである。把手保持部は、収納袋の背面位置から立ち上がり状態で、開口部に備えた２個のストッパー付ファースナ−で、把手保持部に入れた傘の柄、把手部を挟持し、横すべりを防ぐものである。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】図１は、ショルダーバックの片面の倍の大きさに縫代を足した袋用素材を用意し、それぞれの角にＡ、Ｂ、Ｃ、Ｄと縦中央にＡ’、Ｂ’と符号をつけた平面図である。
【手続補正６】
【補正対象書類名】明細書
【補正対象項目名】００１７
【補正方法】変更
【補正の内容】
【００１７】  図４は、袋３の不使用時の折、図３の肩かけベルトと袋３のファスナー等を接続した立ち上がり状態からファスナー等を外し、袋３を収納袋９の背面に位置させた状態を示す斜視図である。